(57)【特許請求の範囲】
【請求項１】
蒸発器と圧縮機と凝縮器と絞り機構と室内ファン、室外ファンとを一つの枠体内に備え、部屋の窓に固定されて室内の空気調和を行うウインドエアコンに於いて、前記空気調和は室温センサによる検出室温と設定室温との偏差による空調運転のＯＮ／ＯＦＦで制御すると共に、前記空調運転ＯＦＦを回避する回避手段を備え、この回避手段は、絞り機構をバイパスするバイパス路と、該バイパス路に備えられた開閉式切替弁とで構成した事を特徴とするウインドエアコン。
【発明の詳細な説明】
【０００１】
【発明の属する技術分野】
この発明は、窓に取り付けられて使用されるウインドエアコンに関するものである。
【０００２】
【従来の技術】
従来よりこの種のものに於いては、室内の壁に設置されるセパレ−トエアコンのように大がかりな設置工事が不用で、使用者自身でも簡単に取り付けが出来て、取り扱いが容易であり、又空調制御についても、一定能力の圧縮機を使用して、設定室温と検出室温との偏差で空調運転をＯＮ／ＯＦＦ、即ち空調運転を行う圧縮機と室外ファンを停止させ、室内ファンのみを継続駆動させて室内温度を調整することで、複雑な回路や素子を使用することなく、とにかく安価に提供しようとするものであった。
【０００３】
【発明が解決しようとする課題】
ところでこの従来のものでは、セパレ−トエアコンでは屋外に設置される室外機内に備えられる凝縮器、圧縮機、室外ファンも一つの枠体内に収納され、且つウインドエアコン自体は窓枠に固定されるが、強固に固定することは不可能であるので、空調運転のＯＮ／ＯＦＦの度に大きな振動音が発生し、使用者に違和感や不信感を与えるものであった。
【０００４】
【課題を解決するための手段】
この発明はこの点に着目し上記欠点を解決する為、特にその構成を、蒸発器と圧縮機と凝縮器と絞り機構と室内ファン、室外ファンとを一つの枠体内に備え、部屋の窓に固定されて室内の空気調和を行うウインドエアコンに於いて、前記空気調和は室温センサによる検出室温と設定室温との偏差による空調運転のＯＮ／ＯＦＦで制御すると共に、前記空調運転ＯＦＦを回避する回避手段を備え、この回避手段は、絞り機構をバイパスするバイパス路と、該バイパス路に備えられた開閉式切替弁とで構成したものである。
【０００５】
これによって、検出室温が空調運転をＯＦＦする温度に近づくと、開閉式切替弁が開成してバイパス路にも冷媒を流したり、或いは可変膨張弁の開度を広げることで、一定能力の圧縮機を使用していても空調能力が下げられ、空調運転ＯＦＦを回避することが出来るので、ＯＦＦ時の振動音及び、ＯＦＦ後の再運転による振動音を確実に防止して、安価でありながら振動音がなく、使用者に違和感や不信感を与えないウインドエアコンを提供出来るものである。
【０００６】
【発明の実施の形態】
次に、この発明に係るウインドエアコンを図面に示された一実施例で説明する。
１はベ−スでこのベ−ス１上に圧縮機２及び電装部３等を収納する機械室４が設けられている。
５は前面に室内吸込口６と室内吹出口７を備えた枠体で、この枠体５内の前記機械室４上方は中央の隔壁８によって室内側と室外側に仕切られ、室内側には蒸発器を構成する室内熱交換器９、室内ファン１０等が設けられ、室外側には凝縮器を構成する室外熱交換器１１、室外ファン１２等が設けられている。
【０００７】
前記室外熱交換器１１の後方には室外吸込口１３が、この室外吸込口１３の隣には室外吹出口１４を備えている。
前記室内吸込口６、室内熱交換器９、室内ファン１０、室内吹出口７を連通して室内送風経路１５を、又室外吸込口１３、室外熱交換器１１、室外ファン１２、室外吹出口１４を連通して室外送風経路１６を形成している。
【０００８】
１７はマイコンから成る制御部で、入力側には運転スイッチ１８及び希望する設定室温をセットする室温設定スイッチ１９と、室内吸込口６に備えられ現在の室温を検出するサ−ミスタから成る室温センサ２０が接続されている。
【０００９】
又制御部１７の出力側には、圧縮機２及び室内ファン１０、室外ファン１２とが接続され、設定温度と検出室温との偏差で圧縮機２及び室外ファン１２をＯＮ／ＯＦＦ制御し、室温を設定温度に維持するようにするものであり、この時室内ファン１０は継続して駆動するものである。
【００１０】
２１は図４の配管図に示すように、室外熱交換器１１と室内熱交換器９とを結ぶ配管途中に備えられた絞り機構２２をバイパスするバイパス路２３と、制御部１７の出力でこのバイパス路２３を開閉する開閉式切替弁２４とで構成された回避手段で、上記した圧縮機２及び室外ファン１２が偏差で空調運転をＯＦＦする前に、開閉式切替弁２４を開成して絞り機構２２をバイパスする冷媒を形成することで、能力を落として空調運転のＯＦＦを回避させるものである。
【００１１】
２５はウインドエアコンを窓枠２６に取り付ける取付枠、２７はガラス戸であり、２８は外枠５の前面に設けられた操作部で、運転スイッチ１８や室温設定スイッチ１９等を備えると共に、操作状況や異常内容を表示する表示部２９が設けられている。
【００１２】
次にこの発明一実施例の作動について説明すれば、今運転スイッチ１８を押圧することで自動的に冷房の自動運転がスタ−トし、圧縮機２で圧縮され高圧となった気体冷媒は室外熱交換器１１で、室外ファン１２から送風される室外の空気と熱交換して放熱し、液化した冷媒は更に絞り機構２２を通り減圧され、そして室内熱交換器９で室内ファン１０から送風される室内空気の熱を奪って気化し、室内空気の温度を下げてるものであり、気体冷媒は再び圧縮機２に向かい順次これを繰り返して、室内の冷房を行うものである。
【００１３】
更に室温センサ２０は冷房される室内温度を検出しこの検出室温ｔと、室温設定スイッチ１９で設定された希望する設定室温Ｔとを制御部１７で比較し、その偏差がここではＴ−ｔ＝−１度Ｃに達することで圧縮機２及び室外ファン１２を停止させて空調運転をＯＦＦし、偏差が＋０．５度Ｃで再び圧縮機２及び室外ファン１２を駆動開始させて空調運転をＯＮさせ、室温を設定室温に維持するようにしたものである。
【００１４】
しかし上記の制御では空調運転のＯＮ／ＯＦＦ時の振動音が激しいので、この発明では偏差が−０．５度Ｃに達すると制御部１７が回避手段２１の開閉式切替弁２４を開成して、絞り機構２２へ流れる冷媒の一部がバイパス路２３を流れて、減圧されないままとなって冷房能力がその分低下することになり、室温の低下が止まり空調運転のＯＦＦを回避することが出来、ＯＮ／ＯＦＦによる振動音の発生を確実に防止することが出来るものである。
【００１５】
従って、取り扱いが容易で且つ安価なウインドエアコンの優位性を維持しながら、課題であった振動音の問題のみを、極めて簡単な構成で防止することが出来、使用者の違和感や不信感を確実に払拭することが出来るものである。
【００１６】
次に他の実施例を示す図５を同一部品には同一符号を付し、相違点のみを説明すれば、回避手段を可変膨張弁３０で構成したものであり、これによれば偏差が空調運転のＯＦＦ温度に近づくに従って、冷媒の流量を制御して能力制御が行われるので、空調を行いながら確実にＯＦＦのみを阻止出来ると言う効果を有するものである。
【００１７】
【発明の効果】
以上のようにこの発明によれば、一定能力の圧縮機を使用していても空調能力が下げられ、空調運転ＯＦＦを回避することが出来るので、取り扱いが容易で且つ安価なウインドエアコンの優位性を維持しながら、課題であった振動音の問題のみを、極めて簡単な構成で防止することが出来、取り扱い容易且つ安価でありながら振動音がなく、使用者に違和感や不信感を与えないウインドエアコンを提供出来るものである。
【図面の簡単な説明】
【図１】この発明一実施例を付したウインドエアコンの窓に取り付けた状態の斜視図。
【図２】同横断面図。
【図３】同電気回路のブロック図。
【図４】同簡略配管図。
【図５】他の実施例を示す概略配管図
【符号の説明】
２  圧縮機
５  枠体
９  室内熱交換器
１０  室内ファン
１１  室外熱交換器
１２  室外ファン
２０  室温センサ
２１  回避手段
２２  絞り機構
２３  バイパス路
２４  開閉式切替弁
３０  可変膨張弁
【図１】
0004132941.tif 000002
【図２】
0004132941.tif 000003
【図３】
0004132941.tif 000004
【図４】
0004132941.tif 000005
【図５】
0004132941.tif 000006